(57)【要約】【課題】放送番組の視聴中に居眠りをした場合であっても、視聴し損なった放送内容を手間を掛けることなく視聴し直すことが可能な記録装置の提供。【解決手段】放送内容を取得する取得手段１と、取得手段１が取得した放送内容を出力する出力手段８，１８と、放送内容を記録する記録手段７，１６とを備える記録装置。出力手段８，１８が出力した放送内容を視聴している人が睡眠状態であるか否かを判定する睡眠状態判定手段１４を備え、睡眠状態判定手段１４が睡眠状態であると判定しているときに、記録手段７，１６は、取得手段１が取得した放送内容を記録する構成である。【選択図】図１
2007104331.tif 000002
【特許請求の範囲】
【請求項１】
放送内容を取得する取得手段と、該取得手段が取得した放送内容を出力する出力手段と、該放送内容を記録する記録手段とを備える記録装置において、
前記出力手段が出力した放送内容を視聴している人が睡眠状態であるか否かを判定する睡眠状態判定手段を備え、該睡眠状態判定手段が睡眠状態であると判定しているときに、前記記録手段は、前記取得手段が取得した放送内容を記録するように構成してあることを特徴とする記録装置。
【請求項２】
前記記録手段を記録可能状態にする指示を受け付ける受付手段を更に備え、前記記録手段は、該受付手段が前記指示を受け付けた場合に、記録可能状態になるように構成してある請求項１記載の記録装置。
【請求項３】
前記記録手段が連続して記録する時間を測定する時間測定手段と、前記睡眠状態判定手段の判定結果が睡眠状態でないに変化したときに、前記時間測定手段が測定した時間が所定の第１時間を超えたか否かを判定する第１判定手段とを更に備え、該第１判定手段が超えていないと判定した場合に、前記放送内容を消去するように構成してある請求項１又は２記載の記録装置。
【請求項４】
前記第１判定手段が超えていないと判定した場合に、前記記録手段が記録した放送内容を保存する指示を受け付ける手段を更に備え、該手段が前記指示を受け付けたときは、前記放送内容を保存するように構成してある請求項３記載の記録装置。
【請求項５】
前記時間測定手段が測定した時間が、前記第１時間より長い所定の第２時間を超えたか否かを判定する手段を更に備え、該手段が超えたと判定したときに、前記記録手段は、記録を停止するように構成してある請求項３又は４記載の記録装置。
【請求項６】
記録媒体に音声情報及び画像情報の何れか又は両方を記録する記録手段と、記録媒体に記録された内容を再生する再生手段とを備える記録再生装置において、
前記再生手段が再生した内容を視聴している人が睡眠状態であるか否かを判定する睡眠状態判定手段と、該睡眠状態判定手段が睡眠状態であると判定しているときに、前記再生手段が再生している内容を識別する為の識別情報を、前記記録媒体上の前記内容に付加する手段とを備えることを特徴とする記録再生装置。
【請求項７】
前記再生手段が再生している場合に、前記識別情報が付加された内容を再生する指示を受け付ける手段を更に備え、該手段が前記指示を受け付けたときは、前記再生手段が再生している内容以降の直近の前記識別情報が付加された内容から再生するように構成してある請求項６記載の記録再生装置。
【請求項８】
直近の前記識別情報が付加された内容から、引き続き識別情報が付加された内容が連続する再生時間を算出する手段と、該手段が算出した再生時間が所定の第１時間を超えるか否かを判定する第１判定手段とを更に備え、該第１判定手段が超えると判定したときに、前記直近の識別情報が付加された内容から再生するように構成してある請求項６又は７記載の記録再生装置。
【請求項９】
前記第１判定手段が超えると判定した再生時間を有する内容が存在するか否かを判定する手段と、該手段が存在しないと判定したときに、再生すべき内容が存在しないことを報知する手段とを更に備える請求項８記載の記録再生装置。
【請求項１０】
前記識別情報を消去する指示を受け付ける手段と、該手段が前記指示を受け付けたときに、前記識別情報を消去する手段とを更に備える請求項６乃至９の何れか１項に記載の記録再生装置。
【請求項１１】
前記睡眠状態判定手段は、前記人の頭部の傾きの大きさ及び方向を検出する検出手段と、該検出手段が検出した所定方向の傾きの大きさが所定値を超えるか否かを判定する手段とを有し、該手段が超えると判定したときに、睡眠状態であると判定するように構成してある請求項１乃至１０の何れか１項に記載の記録装置又は記録再生装置。
【請求項１２】
前記放送内容又は内容の音声を出力するイヤホンを更に備え、前記検出手段は、該イヤホンに設けられている請求項１１記載の記録装置又は記録再生装置。
【請求項１３】
前記睡眠状態判定手段は、前記人の脳波を検出する手段と、該手段が検出した脳波が睡眠状態を示しているか否かを判定する手段とを有する請求項１乃至１２の何れか１項に記載の記録装置又は記録再生装置。
【請求項１４】
前記第１時間の設定変更を受け付ける手段を更に備える請求項３乃至５又は８乃至１３の何れか１項に記載の記録装置又は記録再生装置。
【請求項１５】
前記第２時間の設定変更を受け付ける手段を更に備える請求項５記載の記録装置。
【請求項１６】
前記所定方向及び所定値の設定変更を受け付ける手段を更に備える請求項１１又は１２記載の記録装置又は記録再生装置。
【発明の詳細な説明】
【技術分野】
【０００１】
本発明は、放送内容を取得し、取得した放送内容を出力すると共に、放送内容を記録する記録手段を備える記録装置、及び記録媒体に音声情報及び画像情報の何れか又は両方を記録すると共に、記録媒体に記録された内容を再生する記録再生装置に関し、特に、視聴者が視聴中に居眠りをしても、視聴し損なった部分を後から視聴できる記録装置及び記録再生装置に関するものである。
【背景技術】
【０００２】
従来、ビデオテープレコーダ、ＤＶＤ（Digital Versatile Disc）レコーダ、ハードディスクレコーダ、メモリレコーダ、オーディオプレーヤ等の記録装置は、各種放送の受信装置を備えるか、受信装置に接続可能になっており、受信装置で受信した放送内容を記録媒体へ記録する。また、記録した内容を再生することで、記録装置に接続されたテレビジョン装置、イヤホン（又はヘッドホン）等の出力装置により、再生内容を視聴者が視聴することができる。
【０００３】
従来の記録装置の中には、視聴者が視聴に関係なく記録できるように、タイマーに予め設定された時刻に録画するタイマー録画を行える装置がある（特許文献１参照）。また、再生に関しては、視聴者の利便性を高めるような機能が各種存在し、例えば、一度途中まで再生した録画内容の続きから再生する場合、再生した箇所を特定できるように、チャプターのような再生済みを識別する為の識別情報を録画内容に付加する処理を行う装置が存在する（特許文献２参照）。
【０００４】
尚、近時、記録媒体に大記憶容量のハードディスク装置を用いた録画装置の中には、放送番組の視聴中に、ハードディスク装置へ自動的に録画しておき、突然の電話などで視聴を中断された場合に、録画された内容を再生することで中断箇所からの続きを視聴できる機能（タイムシフト機能）を備える装置も存在する。
【特許文献１】特開昭５８−２１５５８３号公報
【特許文献２】特開平１１−１７６０９６号公報
【発明の開示】
【発明が解決しようとする課題】
【０００５】
上述したような録画装置では、放送番組の視聴中に視聴者が居眠りをした場合、見逃した内容を見ることができないという問題がある。また、このような問題に対応する為、放送番組を視聴する際には、常に録画を行うことも考えられるが、録画により録画装置の記憶容量が無駄に消費されることになり、現実的ではない。
尚、上述したタイムシフト機能を利用して、居眠りにより見逃した場面を見ることも可能であるが、見逃した画面から視聴する為には、録画した内容をサーチする必要があり、手間が掛かるという問題がある。
【０００６】
一方、録画装置による録画内容の再生中に視聴者が居眠りをした場合、再生対象は既に録画されているので、見逃した場面を再度再生すれば良い。しかし、見逃した箇所から再生するには、録画内容をサーチする必要があるので、見逃した場面のみを効率的に再生できないという問題がある。特に、ＤＶＤ、ハードディスクのような大記憶容量の記憶媒体に記録した長時間番組の再生中に居眠りをした場合、見逃した場面を探すサーチ作業の負担は、かなり大きなものになる。
【０００７】
本発明は、上述したような問題に鑑みてなされたものであり、放送番組の視聴中に居眠りをした場合であっても、視聴し損なった放送内容を手間を掛けることなく視聴し直すことが可能な記録装置を提供することを目的とする。
また、本発明は、記録内容の再生中に居眠りをした場合であっても、視聴し損なった記録内容を素早く検索することができ、効率的に視聴し直すことが可能な記録再生装置を提供することを目的とする。
【課題を解決するための手段】
【０００８】
本発明に係る記録装置は、放送内容を取得する取得手段と、該取得手段が取得した放送内容を出力する出力手段と、該放送内容を記録する記録手段とを備える記録装置において、前記出力手段が出力した放送内容を視聴している人が睡眠状態であるか否かを判定する睡眠状態判定手段を備え、該睡眠状態判定手段が睡眠状態であると判定しているときに、前記記録手段は、前記取得手段が取得した放送内容を記録するように構成してあることを特徴とする。
【０００９】
この記録装置では、取得手段が、放送内容を取得し、出力手段が、その取得した放送内容を出力し、記録手段が、その取得した放送内容を記録する。睡眠状態判定手段が、出力手段が出力した放送内容を視聴している人が睡眠状態であるか否かを判定し、睡眠状態判定手段が睡眠状態であると判定しているときに、記録手段は、取得手段が取得した放送内容を記録する。
【００１０】
また、本発明に係る記録装置は、前記記録手段を記録可能状態にする指示を受け付ける受付手段を更に備え、前記記録手段は、該受付手段が前記指示を受け付けた場合に、記録可能状態になるように構成してあることを特徴とする。
【００１１】
この記録装置では、受付手段が、記録手段を記録可能状態にする指示を受け付け、記録手段は、受付手段が指示を受け付けた場合に、記録可能状態になる。
【００１２】
また、本発明に係る記録装置は、前記記録手段が連続して記録する時間を測定する時間測定手段と、前記睡眠状態判定手段の判定結果が睡眠状態でないに変化したときに、前記時間測定手段が測定した時間が所定の第１時間を超えたか否かを判定する第１判定手段とを更に備え、該第１判定手段が超えていないと判定した場合に、前記放送内容を消去するように構成してあることを特徴とする。
【００１３】
この記録装置では、時間測定手段が、記録手段が連続して記録する時間を測定し、睡眠状態判定手段の判定結果が睡眠状態でないに変化したときに、第１判定手段が、時間測定手段が測定した時間が所定の第１時間を超えたか否かを判定する。第１判定手段が超えていないと判定した場合に、その超えていない時間中に記録された放送内容を消去する。
【００１４】
また、本発明に係る記録装置は、前記第１判定手段が超えていないと判定した場合に、前記記録手段が記録した放送内容を保存する指示を受け付ける手段を更に備え、該手段が前記指示を受け付けたときは、前記放送内容を保存するように構成してあることを特徴とする。
【００１５】
この記録装置では、第１判定手段が超えていないと判定した場合に、受け付ける手段が、記録手段が記録した放送内容を保存する指示を受け付け、受け付ける手段が指示を受け付けたときは、その超えていない時間中に記録された放送内容を保存する。
【００１６】
また、本発明に係る記録装置は、前記時間測定手段が測定した時間が、前記第１時間より長い所定の第２時間を超えたか否かを判定する手段を更に備え、該手段が超えたと判定したときに、前記記録手段は、記録を停止するように構成してあることを特徴とする。
【００１７】
この記録装置では、判定する手段が、時間測定手段が測定した時間が、第１時間より長い所定の第２時間を超えたか否かを判定し、判定する手段が超えたと判定したときに、記録手段は、記録を停止する。
【００１８】
また、本発明に係る記録再生装置は、記録媒体に音声情報及び画像情報の何れか又は両方を記録する記録手段と、記録媒体に記録された内容を再生する再生手段とを備える記録再生装置において、前記再生手段が再生した内容を視聴している人が睡眠状態であるか否かを判定する睡眠状態判定手段と、該睡眠状態判定手段が睡眠状態であると判定しているときに、前記再生手段が再生している内容を識別する為の識別情報を、前記記録媒体上の前記内容に付加する手段とを備えることを特徴とする。
【００１９】
この記録再生装置では、記録手段が、記録媒体に音声情報及び画像情報の何れか又は両方を記録し、再生手段が、記録媒体に記録された内容を再生する。睡眠状態判定手段が、再生手段が再生した内容を視聴している人が睡眠状態であるか否かを判定し、睡眠状態判定手段が睡眠状態であると判定しているときに、付加する手段が、再生手段が再生している内容を識別する為の識別情報を、記録媒体上の再生手段が再生している内容に付加する。
【００２０】
また、本発明に係る記録再生装置は、前記再生手段が再生している場合に、前記識別情報が付加された内容を再生する指示を受け付ける手段を更に備え、該手段が前記指示を受け付けたときは、前記再生手段が再生している内容以降の直近の前記識別情報が付加された内容から再生するように構成してあることを特徴とする。
【００２１】
この記録再生装置では、再生手段が再生している場合に、受け付ける手段が、識別情報が付加された内容を再生する指示を受け付け、受け付ける手段が指示を受け付けたときは、再生手段が再生している内容以降の直近の識別情報が付加された内容から再生する。
【００２２】
また、本発明に係る記録再生装置は、直近の前記識別情報が付加された内容から、引き続き識別情報が付加された内容が連続する再生時間を算出する手段と、該手段が算出した再生時間が所定の第１時間を超えるか否かを判定する第１判定手段とを更に備え、該第１判定手段が超えると判定したときに、前記直近の識別情報が付加された内容から再生するように構成してあることを特徴とする。
【００２３】
この記録再生装置では、算出する手段が、直近の識別情報が付加された内容から、引き続き識別情報が付加された内容が連続する再生時間を算出し、第１判定手段が、その算出した再生時間が所定の第１時間を超えるか否かを判定し、第１判定手段が超えると判定したときに、直近の識別情報が付加された内容から再生する。
【００２４】
また、本発明に係る記録再生装置は、前記第１判定手段が超えると判定した再生時間を有する内容が存在するか否かを判定する手段と、該手段が存在しないと判定したときに、再生すべき内容が存在しないことを報知する手段とを更に備えることを特徴とする。
【００２５】
この記録再生装置では、判定する手段が、第１判定手段が超えると判定した再生時間を有する内容が存在するか否かを判定し、判定する手段が、存在しないと判定したときに、報知する手段が、再生すべき内容が存在しないことを報知する。
【００２６】
また、本発明に係る記録再生装置は、前記識別情報を消去する指示を受け付ける手段と、該手段が前記指示を受け付けたときに、前記識別情報を消去する手段とを更に備えることを特徴とする。
【００２７】
この記録再生装置では、受け付ける手段が、識別情報を消去する指示を受け付け、受け付ける手段が指示を受け付けたときに、識別情報を消去する。
【００２８】
また、本発明に係る記録装置又は記録再生装置は、前記睡眠状態判定手段は、前記人の頭部の傾きの大きさ及び方向を検出する検出手段と、該検出手段が検出した所定方向の傾きの大きさが所定値を超えるか否かを判定する手段とを有し、該手段が超えると判定したときに、睡眠状態であると判定するように構成してあることを特徴とする。
【００２９】
この記録装置又は記録再生装置では、睡眠状態判定手段は、検出手段が、人の頭部の傾きの大きさ及び方向を検出し、判定する手段が、検出手段が検出した所定方向の傾きの大きさが所定値を超えるか否かを判定し、判定する手段が超えると判定したときに、睡眠状態であると判定する。
【００３０】
また、本発明に係る記録装置又は記録再生装置は、前記放送内容又は内容の音声を出力するイヤホンを更に備え、前記検出手段は、該イヤホンに設けられていることを特徴とする。
【００３１】
この記録装置又は記録再生装置では、イヤホンが、放送内容又は内容の音声を出力し、検出手段は、イヤホンに設けられている。
【００３２】
また、本発明に係る記録装置又は記録再生装置は、前記睡眠状態判定手段は、前記人の脳波を検出する手段と、該手段が検出した脳波が睡眠状態を示しているか否かを判定する手段とを有することを特徴とする。
【００３３】
この記録装置又は記録再生装置では、睡眠状態判定手段は、検出する手段が人の脳波を検出し、判定する手段が、その検出した脳波が睡眠状態を示しているか否かを判定する。
【００３４】
また、本発明に係る記録装置又は記録再生装置は、前記第１時間の設定変更を受け付ける手段を更に備えることを特徴とする。
【００３５】
この記録装置又は記録再生装置では、受け付ける手段が、第１時間の設定変更を受け付ける。
【００３６】
また、本発明に係る記録装置は、前記第２時間の設定変更を受け付ける手段を更に備えることを特徴とする。
【００３７】
この記録装置では、受け付ける手段が、第２時間の設定変更を受け付ける。
【００３８】
また、本発明に係る記録装置又は記録再生装置は、前記所定方向及び所定値の設定変更を受け付ける手段を更に備えることを特徴とする。
【００３９】
この記録装置又は記録再生装置では、受け付ける手段が、所定方向及び所定値の設定変更を受け付ける。
【発明の効果】
【００４０】
本発明に係る記録装置によれば、睡眠状態判定手段が睡眠状態であると判定しているときに、記録手段は、取得手段が取得した放送内容を記録するので、放送番組の視聴中に居眠りをした場合であっても、視聴し損なった放送内容を手間を掛けることなく視聴し直すことが可能な記録装置を実現することができる。
【００４１】
また、本発明に係る記録装置によれば、受付手段が、記録手段を記録可能状態にする指示を受け付けた場合に、記録手段が記録可能状態になるので、必要な場合には、放送番組の視聴中に居眠りをした場合であっても、視聴し損なった場面を手間を掛けることなく見直すことが可能な記録装置を実現することができる。
【００４２】
また、本発明に係る記録装置によれば、睡眠状態判定手段の判定結果が睡眠状態でないに変化したときに、第１判定手段が、時間測定手段が測定した時間が所定の第１時間を超えていないと判定したときは、その超えていない時間中に記録された放送内容を消去するので、放送番組の視聴中に実際に居眠りをした場合に、視聴し損なった放送内容を手間を掛けることなく視聴し直すことが可能な記録装置を実現することができる。
【００４３】
また、本発明に係る記録装置によれば、第１判定手段が超えていないと判定した場合に、受け付ける手段が、保存する指示を受け付けたときは、その超えていない時間中に記録された放送内容を保存するので、放送番組の視聴中に短時間でも実際に居眠りをしたと自覚した場合に、視聴し損なった放送内容を手間を掛けることなく視聴し直すことが可能な記録装置を実現することができる。
【００４４】
また、本発明に係る記録装置によれば、判定する手段が、時間測定手段が測定した時間が、所定の第２時間を超えたと判定したときに、記録手段が、記録を停止するので、放送番組の視聴中に眠り込んだ場合に、視聴し損なった放送内容を第２時間まで手間を掛けることなく視聴し直すことが可能な記録装置を実現することができる。
【００４５】
また、本発明に係る記録再生装置によれば、睡眠状態判定手段が睡眠状態であると判定しているときに、付加する手段が、再生手段の再生内容を識別する為の識別情報を、記録媒体上の再生内容に付加するので、記録内容の再生中に居眠りをした場合であっても、視聴し損なった記録内容を素早く検索することができ、効率的に視聴し直すことが可能な記録再生装置を実現することができる。
【００４６】
また、本発明に係る記録再生装置によれば、再生手段が再生している場合に、受け付ける手段が、識別情報が付加された内容を再生する指示を受け付けたときは、再生手段が再生している内容以降の直近の識別情報が付加された内容から再生するので、記録内容の再生中に居眠りをした場合であっても、視聴し損なった記録内容を素早く検索することができ、効率的に視聴し直すことが可能な記録再生装置を実現することができる。
【００４７】
また、本発明に係る記録再生装置によれば、第１判定手段が、直近の識別情報が付加された内容から、引き続き識別情報が付加された内容が連続する再生時間が、第１時間を超えると判定したときに、直近の識別情報が付加された内容から再生するので、記録内容の再生中に実際に居眠りをした場合に、視聴し損なった記録内容を素早く検索することができ、効率的に視聴し直すことが可能な記録再生装置を実現することができる。
【００４８】
また、本発明に係る記録再生装置によれば、判定する手段が、第１判定手段が超えると判定した再生時間を有する内容が存在しないと判定したときに、報知する手段が、再生すべき内容が存在しないことを報知するので、記録内容の再生中に居眠りをした場合であっても、視聴し損なった記録内容を素早く検索することができ、効率的に視聴し直すことができると共に、視聴し直すべき記録内容が無いときは視聴者に報せることが可能な記録再生装置を実現することができる。
【００４９】
また、本発明に係る記録再生装置によれば、受け付ける手段が、識別情報を消去する指示を受け付けたときに、識別情報を消去するので、記録内容の再生中に居眠りをした場合であっても、視聴し損なった記録内容を素早く検索することができ、効率的に視聴し直すことができると共に、必要に応じて、記録媒体を識別情報が付加されていない元の状態に復旧することが可能な記録再生装置を実現することができる。
【００５０】
また、本発明に係る記録装置又は記録再生装置によれば、睡眠状態判定手段は、検出手段が検出した所定方向の頭部の傾きの大きさが所定値を超えると、判定する手段が判定したときに、睡眠状態であると判定するので、視聴中に居眠りをした場合であっても、視聴し損なった内容を手間を掛けることなく視聴し直すことが可能な記録装置又は記録再生装置を簡易に実現することができる。
【００５１】
また、本発明に係る記録装置又は記録再生装置によれば、睡眠状態判定手段の検出手段は、イヤホンに設けられているので、睡眠状態判定手段の為の大きなスペースが不要であり、視聴中に居眠りをした場合であっても、視聴し損なった内容を手間を掛けることなく視聴し直すことが可能な記録装置又は記録再生装置を実現することができる。
【００５２】
また、本発明に係る記録装置又は記録再生装置によれば、睡眠状態判定手段は、検出する手段が人の脳波を検出し、判定する手段が、その検出した脳波が睡眠状態を示しているか否かを判定するので、睡眠状態を確実に判定することができ、視聴中に居眠りをした場合であっても、視聴し損なった内容を手間を掛けることなく視聴し直すことが可能な記録装置又は記録再生装置を実現することができる。
【００５３】
また、本発明に係る記録装置又は記録再生装置によれば、第１時間の設定変更を受け付けるので、睡眠状態の判定条件を設定変更することができ、視聴中に実際に居眠りをした場合に、視聴し損なった内容を手間を掛けることなく視聴し直すことが可能な記録装置又は記録再生装置を簡易に実現することができる。
【００５４】
また、本発明に係る記録装置によれば、第２時間の設定変更を受け付けるので、放送番組の視聴中に眠り込んだ場合に、視聴し損なった放送内容を、設定変更することができる第２時間まで、手間を掛けることなく視聴し直すことが可能な記録装置を実現することができる。
【００５５】
また、本発明に係る記録装置又は記録再生装置によれば、判定する手段の所定方向及び所定値の設定変更を受け付けるので、睡眠状態の判定条件を設定変更することができ、視聴中に居眠りをした場合であっても、視聴し損なった内容を手間を掛けることなく視聴し直すことが可能な記録装置又は記録再生装置を簡易に実現することができる。
【発明を実施するための最良の形態】
【００５６】
以下に、本発明をその実施の形態を示す図面に基づき説明する。
（実施の形態１）
図１は、本発明に係る記録装置の実施の形態１である録画装置の要部構成を示すブロック図である。この録画装置は、電波受信部１が受信した放送内容が、信号処理部２でＡＤ変換等の信号処理を施され、ＤＭＡコントローラ４を介して、一旦、メモリ５に記録される。メモリ５に記録された信号は、ＤＭＡコントローラ４を介して、デマルチプレクサ１７に送られ音声信号及び画像信号に分離される。
【００５７】
デマルチプレクサ１７で分離された画像信号は、ＤＡ変換器２０でアナログ信号に変換され、表示画面及びスピーカを備える表示部１８に与えられ、デマルチプレクサ１７で分離された音声信号は、ＤＡ変換器１９でアナログ信号に変換され、イヤホン８（又はヘッドホン）及び表示部１８から出力される。
また、一旦、メモリ５に記録された信号は、図示しないボタン操作により記録状態になっているとき、又は記録準備ボタン１０が操作されて、制御部３が記録準備状態である場合に、制御部３に傾き判定部１４から睡眠信号が与えられたとき、ＤＭＡコントローラ４を介して、コーデック部６に与えられる。
【００５８】
コーデック部６に与えられた信号は圧縮処理され、一旦、ＤＭＡコントローラ４を介して、メモリ５に記録された後、制御部３で所定のフォーマットに従ってヘッダー情報を付加された後、駆動装置１６で駆動されるハードディスク又はＤＶＤ等の記録媒体７に記録される。
記録準備ボタン１０は、視聴者が見逃したくない番組を視聴中に居眠りしてしまう可能性があるような場合に、視聴者が操作する。
【００５９】
イヤホン８には、イヤホン８を装着している視聴者の頭部の傾き及び傾き方向を検出する為の傾きセンサ９が内蔵されており、傾きセンサ９が検出した傾き及び傾き方向は、傾き判定部１４に与えられる。傾き判定部１４は、与えられた所定の傾き方向の傾きが、設定されている所定傾き値を超えたときに、視聴者が睡眠状態であることを示す睡眠信号を制御部３に与える。
傾き設定部１１は、傾き判定部１４の所定傾き値の設定変更を受け付ける。
【００６０】
制御部３は、睡眠信号を与えられて、信号を記録媒体７に連続して記録した時間を測定しており、その測定された時間が、時間設定部１２で設定された所定の第１時間を超えないときは、その測定された時間中に記録媒体７に記録された内容は消去される。但し、保存ボタン１５が操作されたときは消去されない。
また、制御部３は、その測定した時間が、第１時間より長い時間設定部１２で設定された所定の第２時間を超えたときは、記録媒体７への記録を停止する。
デフォルト記憶部１３は、上述した所定の傾き方向、所定傾き値、第１時間及び第２時間の標準的な値を記憶しており、制御部３及び傾き判定部１４は、これらが設定変更されていないときは、デフォルト記憶部１３が記憶している標準的な値に基づき判定する。
【００６１】
尚、電波受信部１及び表示部１８は、外付けであっても良い。
また、傾きセンサ９及び傾き判定部１４に代えて、視聴者の脳波を検出する脳波センサ、及び脳波センサが検出した脳波が睡眠状態を示しているか否かを判定する脳波判定部を備えても良い。脳波センサは、例えば、頭皮に接触させた複数の小さな皿状の電極が脳波を検出し、脳波判定部は、その検出した脳波を増幅して濾波し、濾波して得たデルタ波及びシータ波のレベルに基づき、睡眠状態であるか否かを判定する。脳波判定部は、睡眠状態であると判定したときは、睡眠信号を制御部３に与える。
【００６２】
以下に、このような構成の録画装置の記録準備ボタン１０の操作に関連する動作を、それを示す図２，３のフローチャートを参照しながら説明する。
この録画装置は、図示しない電源スイッチがオンになると、電波受信部１で受信した放送内容を、上述した信号処理部２→ＤＭＡコントローラ４→メモリ５→ＤＭＡコントローラ４の経路で、デマルチプレクサ１７へ送り始める（Ｓ２）。デマルチプレクサ１７へ送られた放送内容は、音声信号及び画像情報に分離され、音声信号は、ＤＡ変換器１９経由で、イヤホン８から出力され、画像信号は、ＤＡ変換器２０経由で、表示部１８に与えられ表示される。
【００６３】
この録画装置は、電源スイッチがオフにされると（Ｓ６）、電波受信部１で受信した放送内容を、デマルチプレクサ１７へ送るのを停止し、イヤホン８からの出力、及び表示部１８での表示を停止する。
この録画装置は、また、電源スイッチがオフにされることなく（Ｓ６）、記録準備ボタンが１０が操作された場合は（Ｓ４）、記録準備状態に入り、制御部３が、傾き判定部１４から睡眠信号が与えられているか否かで、視聴者の睡眠状態を検出しているか否かを判定する（Ｓ８）。睡眠状態を検出していなければ、電源スイッチがオフになっているか否かを判定し（図３Ｓ２８）、オフになっていなければ、再度、視聴者の睡眠状態を検出しているか否かを判定する（Ｓ８）。電源スイッチがオフになっていれば（図３Ｓ２８）終了する。
【００６４】
制御部３は、睡眠信号が与えられ、睡眠状態を検出していれば（Ｓ８）、記録する時間の計時（測定）を開始し（Ｓ１０）、電波受信部１で受信した放送内容の記録（録画）を開始する（Ｓ１２）。記録に際しては、電波受信部１で受信した放送内容のイヤホン８からの出力、及び表示部１８での表示を継続しながら（Ｓ２）、一旦、メモリ５に記録された放送内容を、上述したＤＭＡコントローラ４→コーデック部６→メモリ５→記録媒体７の経路で圧縮処理し、所定のフォーマットでヘッダー情報を付加して記録する。
【００６５】
制御部３は、記録している（Ｓ１２）状態で、睡眠信号が途切れ、睡眠状態を検出しなくなれば（Ｓ１４）、記録する時間の計時を終了し（図３Ｓ１６）、電波受信部１で受信した放送内容の記録を終了する（Ｓ１８）。次いで、計時した時間（Ｓ１６）が所定時間Ｂ（第１時間＝例えば１分）を超えているか否かを判定し（Ｓ２０）、超えていれば、電源スイッチがオフになっているか否かを判定する（Ｓ２８）。オフになっていなければ、記録準備状態に入り、視聴者の睡眠状態を検出しているか否かを判定する（Ｓ８）。電源スイッチがオフになっていれば（Ｓ２８）終了する。
所定時間Ｂを設けることにより、視聴者がＣＭ中にトイレに行っている間の放送内容等、頭が傾くことを承知で、視聴者が取った行動により記録された不必要な放送内容で記録媒体７の容量を消費するという問題がなくなる。
【００６６】
制御部３は、計時した時間（Ｓ１６）が所定時間Ｂ（第１時間）を超えていなければ（Ｓ２０）、所定時間（例えば１０秒）の計時を開始し（Ｓ２２）、所定時間が計時される迄に（Ｓ３０）、保存ボタン１５が操作されたときは（Ｓ２４）、所定時間の計時を終了する（Ｓ２６）。計時を終了した後は、記録した放送内容（Ｓ１８）をそのままにして（保存して）、電源スイッチがオフになっているか否かを判定する（Ｓ２８）。
制御部３は、保存ボタン１５が操作されないままで（Ｓ２４）、所定時間の計時を終了したときは（Ｓ３０，３２）。記録した放送内容（Ｓ１８）を削除（消去）して（Ｓ３４）、電源スイッチがオフになっているか否かを判定する（Ｓ２８）。
【００６７】
制御部３は、記録している（図２Ｓ１２）状態で、睡眠状態を検出し続け（Ｓ１４）、記録する時間が所定時間Ｃ（第２時間；例えば、放送番組の長さ）を超えたときは（Ｓ３６）、記録する時間の計時を終了し（Ｓ３８）、電波受信部１で受信した放送内容の記録を終了し（Ｓ４０）、電源をオフにする（Ｓ４２）。尚、この場合は、視聴者が睡眠中に、視聴していた放送番組が終了している。
所定時間Ｃを設けることにより、視聴中に視聴者が睡眠してしまった場合でも、視聴者が予め設定した記録時間以上に記録内容（ファイル）を残さないので、記録媒体が不必要なファイルで消費されるという問題がなくなる。
【００６８】
（実施の形態２）
図４は、本発明に係る記録再生装置の実施の形態２である録画再生装置の要部構成を示すブロック図である。この録画再生装置は、制御部２１に接続された再生ボタン３３が操作されると、駆動装置３５で駆動されるハードディスク又はＤＶＤ等の記録媒体２５から読み出されたデータが、ＤＭＡコントローラ２２を介して、メモリ２３に記録される。次に、メモリ２３から制御部２１にヘッダー情報が読み込まれ、記録されている開始時刻が読まれる。また、メモリ２３に記録されたデータは、メモリ２３からＤＭＡコントローラ２２を介して、コーデック部２４に送られデコード処理されて、ＤＭＡコントローラ２２を介して、再度、メモリ２３に記録される。
【００６９】
再度、メモリ２３に記録されたデコードデータは、ＤＭＡコントローラ２２を介して、デマルチプレクサ３６に送られ音声信号及び画像信号に分離される。デマルチプレクサ３６で分離された画像信号は、ＤＡ変換器３９でアナログ信号に変換され、表示画面及びスピーカを備える表示部３７に与えられ、デマルチプレクサ３６で分離された音声信号は、ＤＡ変換器３８でアナログ信号に変換され、イヤホン３２（又はヘッドホン）及び表示部３７から出力される。
【００７０】
また、上述した表示部３７での表示、及びイヤホン３２からの出力と並行して、メモリ２３に記録されたデコードデータは、ＤＭＡコントローラ２２を介して、コーデック部２４へ読み出されエンコード処理される。エンコード処理されたデータは、一旦、メモリ２３に記録された後、制御部２１により所定のフォーマットに従って、ヘッダー情報を付加された後、記録媒体２５に記録される。
【００７１】
イヤホン３２には、イヤホン３２を装着している視聴者の頭部の傾き及び傾き方向を検出する為の傾きセンサ２６が内蔵されており、傾きセンサ２６が検出した傾き及び傾き方向は、傾き判定部３１に与えられる。傾き判定部３１は、与えられた所定の傾き方向の傾きが、設定されている所定傾き値を超えたときに、視聴者が睡眠状態であることを示す睡眠信号を制御部２１に与える。
制御部３１に接続された傾き設定部２９は、傾き判定部３１の所定傾き値の設定変更を受け付ける。
【００７２】
制御部３１は、睡眠信号を与えられると、上述した、一旦、データをメモリ２３に記録した後、所定のフォーマットでヘッダー情報を付加した後、記録媒体２５に記録する際に、そのヘッダー情報に睡眠フラグを付加して（睡眠フラグが付加されていない場合）オンにする。
制御部３１は、再生中に、スキップスイッチ２７が操作されて、ヘッダー情報の睡眠フラグがオンであるデータ群（ブロック等）にスキップして再生する際に、予め睡眠フラグがオンであるデータ群が連続する再生時間を算出する。算出した再生時間が所定時間Ｄ（第１時間）を超えないときは、その再生時間のデータ群は再生しない。
【００７３】
制御部３１に接続された時間設定部３０は、上記所定時間Ｄの設定変更を受け付ける。
制御部３１に接続されたクリアスイッチ２８が操作されると、記録媒体２５上の全てのヘッダー情報の睡眠フラグがクリアされる（オフにされる）。
この録画再生装置は、制御部２１に接続された停止ボタン３４が操作されると、再生動作を停止する。
【００７４】
尚、傾きセンサ２６及び傾き判定部３１に代えて、視聴者の脳波を検出する脳波センサ、及び脳波センサが検出した脳波が睡眠状態を示しているか否かを判定する脳波判定部を備えても良い。脳波センサは、例えば、頭皮に接触させた複数の小さな皿状の電極が脳波を検出し、脳波判定部は、その検出した脳波を増幅して濾波し、濾波して得たデルタ波及びシータ波のレベルに基づき、睡眠状態であるか否かを判定する。脳波判定部は、睡眠状態であると判定したときは、睡眠信号を制御部２１に与える。
【００７５】
以下に、このような構成の録画再生装置の動作を、それを示す図５，６のフローチャートを参照しながら説明する。
この録画再生装置は、再生ボタン３３が操作されると（Ｓ５０）、再生動作を開始し、駆動装置３５で駆動される記録媒体２５からデータを読み出し始める（Ｓ５２）。読み出されたデータは、上述したＤＭＡコントローラ２２→メモリ２３→制御部２１（ヘッダー情報のみ）→メモリ２３→ＤＭＡコントローラ２２→コーデック部２４→ＤＭＡコントローラ２２→メモリ２３→ＤＭＡコントローラ２２の経路で、デマルチプレクサ３６に送られ音声信号及び画像信号に分離される。
【００７６】
デマルチプレクサ３６で分離された画像信号は、ＤＡ変換器３９を通じて、表示部３７に与えられて表示され、音声信号は、ＤＡ変換器３８を通じて、イヤホン８（又はヘッドホン）及び表示部３７から出力される。
この録画再生装置は、再生ボタン３３が操作されない場合は（Ｓ５０）、再生ボタン３３（Ｓ５０）又は図示しない電源スイッチ（Ｓ６８）が操作される迄待機する。
【００７７】
この録画再生装置は、再生動作中（Ｓ５２）にスキップスイッチ２７が操作されず（Ｓ５４）、傾き判定部３１から睡眠信号を与えられず、睡眠状態を検出していないときは（Ｓ５６）、上述した、所定のフォーマットでヘッダー情報を付加した後、記録媒体２５に記録する際に、そのヘッダー情報に睡眠フラグを付加して（睡眠フラグが付加されていない場合）オフにする（Ｓ６０）。次いで、記録媒体の終端に到らず（Ｓ６２）、停止ボタンが操作されない場合は（Ｓ６４）、再生動作を続行する（Ｓ５４）。
【００７８】
この録画再生装置は、傾き判定部３１から睡眠信号を与えられ、睡眠状態を検出しているときは（Ｓ５６）、上述した、所定のフォーマットでヘッダー情報を付加した後、記録媒体２５に記録する際に、そのヘッダー情報に睡眠フラグを付加して（睡眠フラグが付加されていない場合）オンにする（Ｓ５８）。次いで、記録媒体の終端に到らず（Ｓ６２）、停止ボタンが操作されない場合は（Ｓ６４）、再生動作を続行する（Ｓ５４）。
【００７９】
この録画再生装置は、記録媒体の終端に到ったときは（Ｓ６２）、再生動作を停止し（Ｓ６６）、電源がオフされないときは（Ｓ６８）、再生ボタン３３が操作される迄待機する（Ｓ５０）。また、停止ボタンが操作されたときは（Ｓ６４）、再生動作を停止し（Ｓ６６）、電源がオフされないときは（Ｓ６８）、再生ボタン３３が操作される迄待機する（Ｓ５０）。電源がオフされれば動作を終了する。
【００８０】
この録画再生装置は、再生動作中（Ｓ５２）にスキップスイッチ２７が操作されると（Ｓ５４）、一旦、再生動作を停止し（図６Ｓ７０）、記録媒体２５上の停止した位置以降で、睡眠フラグがオンになっているデータ群をサーチする（Ｓ７２）。サーチした結果、そのようなデータ群が無ければ、スキップして再生すべきデータが無いことを報知する音ＳＯ１を、イヤホン３２から出力し（Ｓ７４）、再生動作を停止した位置（Ｓ７０）から、再度、再生動作を開始する（Ｓ５２）。
【００８１】
この録画再生装置は、睡眠フラグがオンになっているデータ群があれば（Ｓ７２）、その睡眠フラグがオンになっているデータ群の、連続する再生に要する時間を算出し（７５）、算出した再生時間が所定時間Ｄを超えるか否かを判定する（Ｓ７６）。所定時間Ｄを超えなければ、引き続き、以降の睡眠フラグがオンになっているデータ群をサーチする（Ｓ７２）。
【００８２】
この録画再生装置は、算出した再生時間（Ｓ７５）が所定時間Ｄを超えていれば（Ｓ７６）、その再生時間のデータ群の再生を開始し（Ｓ７８）、睡眠フラグがオフになっているデータ群の直前迄再生する（Ｓ８０）。その直前迄再生した後は、そのスキップ再生が終了したことを報知する音ＳＯ２をイヤホン３１から出力した（Ｓ８６）後、通常の再生動作を続行し、睡眠状態を検出しているか否かを判定する（Ｓ５６）。
この録画再生装置は、その再生時間のデータ群の再生を開始した（Ｓ７８）後、停止ボタン３４が操作されれば（Ｓ８２）、再生動作を停止し（Ｓ８４）、電源がオフされないときは（図５Ｓ６８）、再生ボタン３３が操作される迄待機する（Ｓ５０）。電源がオフされれば動作を終了する。
【００８３】
図７に示すように睡眠フラグが付加された記録媒体２５は、視聴者が、再生中に１度は１０分間、もう１度は２０分間居眠りし、最後は睡眠してしまった場合のものである。
視聴者がスキップスイッチ２７を操作する迄は、通常の再生動作と同様である。視聴者がスキップスイッチ２７を操作すると、制御部２１は、一旦、再生動作を停止し、同時に予め設定した時間閾値Ｄと睡眠フラグがオンになっているデータ群Ｘの再生所要時間Ｘを比較する。再生所要時間Ｘの方が長い場合は、再生動作を再開し、記録媒体２５から睡眠フラグがオンになっているデータ群Ｘの最初から再生される。
【００８４】
このようにスキップスイッチ２７が操作されることで、視聴者が視聴していないデータ群まで容易にスキップすることが可能となる。
一方、再生所要時間Ｘの方が短い場合は、次に、時間閾値Ｄとデータ群Ｙの再生所要時間Ｙとを比較する。再生所要時間Ｙの方が長い場合は、上記説明と同様に、データ群Ｙの最初から再生動作が再開される。また、記録内容の最後まで時間閾値Ｄより長いデータ群がない場合は、その旨を示す報知音をイヤホン３２から出力する。
【００８５】
例えば、図７に示す記録内容を再生する場合、時間閾値Ｄが１０分に設定されている場合、最初にスキップスイッチ２７が操作されると、データ群Ｘから再生する。データ群Ｘが終了後。通常再生中に、再度スキップスイッチ２７が操作されると、データ群Ｙを再生する。更に、データ群Ｙが終了後、通常再生中にスキップスイッチ２７が操作されると、データ群Ｚを再生することになる。
【００８６】
また、時間閾値Ｄが１５分に設定されている場合、最初にスキップスイッチ２７が操作されると、データ群Ｘではなく、データ群Ｙから再生する。データ群Ｙが終了後通、常再生中に再度スキップスイッチ２７が操作されると、データ群Ｚを再生することになる。
また、クリアスイッチ２８が操作されると、記録内容の睡眠フラグが全てクリアされる（オフになる）。これにより、何度も再生した記録媒体２５を別の視聴者が再生する場合などに、初めて再生する記録媒体と同様に扱うことが可能となる。
【図面の簡単な説明】
【００８７】
【図１】本発明に係る記録装置の実施の形態である録画装置の要部構成を示すブロック図である。
【図２】本発明に係る記録装置の実施の形態である録画装置の記録準備ボタンの操作に関連する動作を示すフローチャートである。
【図３】本発明に係る記録装置の実施の形態である録画装置の記録準備ボタンの操作に関連する動作を示すフローチャートである。
【図４】本発明に係る記録再生装置の実施の形態である録画再生装置の要部構成を示すブロック図である。
【図５】本発明に係る記録再生装置の実施の形態である録画再生装置の動作を示すフローチャートである。
【図６】本発明に係る記録再生装置の実施の形態である録画再生装置の動作を示すフローチャートである。
【図７】本発明に係る記録再生装置の実施の形態である録画再生装置の動作を説明する為の説明図である。
【符号の説明】
【００８８】
１  電波受信部
３，２１  制御部
５，２３  メモリ
７，２５  記録媒体
８，３２  イヤホン
９，２６  傾きセンサ
１０  記録準備ボタン
１１，２９  傾き設定部
１２，３０  時間設定部
１３  デフォルト記憶部
１４，３１  傾き判定部
１５  保存ボタン
１６，３５  駆動装置
１８，３７  表示部
２７  スキップスイッチ
２８  クリアスイッチ
３３  再生ボタン
３４  停止ボタン
【図１】
2007104331.tif 000003
【図２】
2007104331.tif 000004
【図３】
2007104331.tif 000005
【図４】
2007104331.tif 000006
【図５】
2007104331.tif 000007
【図６】
2007104331.tif 000008
【図７】
2007104331.tif 000009